(57)【要約】      （修正有）【課題】管路の漏水を自動的に補修することができる、自栓式の漏水補修装置および漏水補修方法を提供する。【解決手段】漏水補修装置は、管路の漏水を補修するための栓材１１０と、栓材１１０を液体中で撹拌させ栓材溶液１４０を生成する混入機と、混入機から管路に栓材溶液１４０を供給する供給器と、を有する。漏水補修方法は、管路の漏水を補修するための栓材１１０を混入機に投入する段階と、混入機によって栓材１１０を液体中で撹拌させ栓材溶液１４０を生成する段階と、供給器によって混入機から管路に栓材溶液１４０を供給する段階と、を含む。【選択図】図１
2018146045.tif 000002
【特許請求の範囲】
【請求項１】
管路の漏水を補修するための栓材と、
前記栓材を液体中で撹拌させ栓材溶液を生成する混入機と、
前記混入機から前記管路に前記栓材溶液を供給する供給器と、
を有することを特徴とする漏水補修装置。
【請求項２】
管路の漏水を補修するための一定量の栓材を供給する栓材供給器と、
前記栓材を液体中で撹拌させ栓材溶液を生成する混入機と、
前記混入機から前記管路に前記栓材溶液を供給する供給器と、
前記管路を満たすに十分な量の前記栓材溶液を自動的に生成させ前記管路に供給するために、前記栓材供給器、前記混入機、前記供給器の動作を制御する制御部と、
を有することを特徴とする漏水補修装置。
【請求項３】
前記管路の前記栓材溶液を濾過し前記栓材を回収する栓材回収器がさらに設けられていることを特徴とする請求項１または２に記載の漏水補修装置。
【請求項４】
前記栓材は、繊維状、粒子状、ゲル状のパルプ繊維であることを特徴とする請求項１から３のいずれかに記載の漏水補修装置。
【請求項５】
前記混入機は、前記栓材を液体中で撹拌させる撹拌ポンプを含むことを特徴とする請求項１から４のいずれかに記載の漏水補修装置。
【請求項６】
前記供給器は、前記管路に前記栓材溶液を供給するための吐出弁を含むことを特徴とする請求項１から５のいずれかに記載の漏水補修装置。
【請求項７】
管路の漏水を補修するための栓材を混入機に投入する段階と、
前記混入機によって前記栓材を液体中で撹拌させ栓材溶液を生成する段階と、
供給器によって前記混入機から前記管路に前記栓材溶液を供給する段階と、
を含むことを特徴とする漏水補修方法。
【請求項８】
管路の漏水を補修するための栓材を混入機に投入する段階と、
前記混入機によって前記栓材を液体中で撹拌させ栓材溶液を生成する段階と、
供給器によって前記混入機から前記管路に前記栓材溶液を供給する段階と、
前記管路の前記栓材溶液を濾過し前記栓材を栓材回収器によって回収する段階と、
を含むことを特徴とする漏水補修方法。
【発明の詳細な説明】
【技術分野】
【０００１】
本発明は、管路の漏水を自動的に補修することができる、自栓式の漏水補修装置および漏水補修方法に関する。
【背景技術】
【０００２】
国土には、上水または下水を流す管路が縦横に敷設されている。管路には、積極的に圧力をかけて水を流す管路と、重力を利用して水を流す管路とがある。
【０００３】
管路の漏水が疑われると、通常は、漏水箇所を探索した後、漏水箇所を補修したり、漏水していた管を取り替えたりする。
【０００４】
しかし、漏水箇所を補修したり、管を取り替えたりする作業は、大々的な作業となることが多く、その作業には多くの時間と費用が必要になる。また、その作業は、場所によっては、交通に支障を来す。
【０００５】
このような不具合を解消するために、下記特許文献１では、大々的な作業をすることなく、止水する工法が開示されている。
【先行技術文献】
【特許文献】
【０００６】
【特許文献１】特開２００６−５７４０５号公報
【発明の概要】
【発明が解決しようとする課題】
【０００７】
しかし、特許文献１に開示されている工法は、地盤を掘削して掘削孔を形成し、注入管を掘削孔に挿入し、袋体内に硬化材を注入するなど、管路の交換の必要はないものの、依然として、その作業には多くの時間と費用が必要になる。
【０００８】
本発明は、このような従来の技術の不具合を解消するためになされたものであり、多くの時間と費用を必要とせず、また、交通に支障を来すことなく、管路の漏水を自動的に補修することができる、自栓式の漏水補修装置および漏水補修方法の提供を目的とする。
【課題を解決するための手段】
【０００９】
上記目的を達成するための本発明に係る漏水補修装置は、管路の漏水を補修するための栓材と、前記栓材を液体中で撹拌させ栓材溶液を生成する混入機と、前記混入機から前記管路に前記栓材溶液を供給する供給器と、を有する。
【００１０】
また、上記目的を達成するための本発明に係る漏水補修装置は、管路の漏水を補修するための一定量の栓材を供給する栓材供給器と、前記栓材を液体中で撹拌させ栓材溶液を生成する混入機と、前記混入機から前記管路に前記栓材溶液を供給する供給器と、前記管路を満たすに十分な量の前記栓材溶液を自動的に生成させ前記管路に供給するために、前記栓材供給器、前記混入機、前記供給器の動作を制御する制御部と、を有する。
【００１１】
さらに、上記目的を達成するための本発明に係る漏水補修方法は、管路の漏水を補修するための栓材を混入機に投入する段階と、前記混入機によって前記栓材を液体中で撹拌させ栓材溶液を生成する段階と、供給器によって前記混入機から前記管路に前記栓材溶液を供給する段階と、を含む。
【００１２】
また、上記目的を達成するための本発明に係る漏水補修方法は、管路の漏水を補修するための栓材を混入機に投入する段階と、前記混入機によって前記栓材を液体中で撹拌させ栓材溶液を生成する段階と、供給器によって前記混入機から前記管路に前記栓材溶液を供給する段階と、管路の栓材溶液を濾過し栓材を栓材回収器によって回収する段階と、を含む。
【発明の効果】
【００１３】
本発明に係る漏水補修装置および漏水補修方法によれば、栓材溶液を管路に供給するだけで、管路の漏水箇所を栓材で塞ぐことができる。このため、補修作業に、多くの時間と費用を必要とせず、また、交通に支障を来すことなく、管路の漏水を補修することができる。
【図面の簡単な説明】
【００１４】
【図１】実施形態１に係る漏水補修装置の概略構成図である。
【図２】栓材が漏水箇所を塞ぐ仕組みの説明図である。
【図３】実施形態２に係る漏水補修装置の概略構成図である。
【図４】実施形態３に係る漏水補修装置の概略構成図である。
【発明を実施するための形態】
【００１５】
以下に、本発明の実施形態に係る漏水補修装置および漏水補修方法を、添付の図面を参照しながら、実施形態１から実施形態３に分けて、詳細に説明する。
【００１６】
［実施形態１］
図１は、実施形態１に係る漏水補修装置の概略構成図である。
【００１７】
（漏水補修装置の構成）
漏水補修装置１００は、栓材１１０、混入機および供給器から構成される。
【００１８】
栓材１１０は、管路の漏水を補修するために用いられるものであって、たとえば、繊維状、粒子状、ゲル状のパルプ繊維である。実施形態１では、栓材１１０としてパルプ繊維を例示して説明するが、漏水箇所の穴や隙間を塞ぐことができる材料であれば、パルプ繊維以外のものを用いても良い。
【００１９】
混入機は、栓材１１０を液体中で撹拌させ栓材溶液を生成するものであって、流入管１２０、流入弁１２１、混入容器１２２、撹拌ポンプ１２３、三方弁１２４、ノズル１２５、栓材溶液１４０から構成される。
【００２０】
供給器は、混入機から管路に栓材溶液１４０を供給するものであって、吐出管１２６、吐出弁１２７から構成される。
【００２１】
実施形態１では、流入管１２０から混入容器１２２に供給する液体として水を例示するが、栓材１１０の材料によっては水に限らない。実施形態１では、栓材としてパルプ繊維を用いているので、パルプ繊維が撹拌されやすい水を用いている。
【００２２】
（漏水補修装置の動作）
まず、漏水している管路に吐出管１２６を取り付ける。流入管１２０に取り付けられている流入弁１２１を開くと、水１３０が流入管１２０から混入容器１２２に供給される。供給された水１３０は混入容器１２２内に溜まっていき、水面が停止水位１４２に達する。
【００２３】
水面が停止水位１４２に達すると、流入弁１２１を閉じて、水１３０の供給を停止する。次に、撹拌ポンプ１２３を作動させる。撹拌ポンプ１２３が作動すると、混入容器１２２に溜まっている水が撹拌ポンプ１２３に吸入流１３２となって吸い込まれる。三方弁１２４は撹拌ポンプ１２３とノズル１２５とを繋ぐ位置に切り換えられている。このため、吸い込まれた水は、三方弁１２４を介してノズル１２５から吐出される。
【００２４】
ノズル１２５から吐出された水は、混入容器１２２内に溜まっている水を勢いよく撹拌し、混入容器１２２内で撹拌渦１３４を生じさせる。
【００２５】
撹拌渦１３４が生じている状態で、栓材１１０を混入容器１２２に投入する。この状態でしばらく撹拌を続けると、栓材１１０が万遍なく水に混合された栓材溶液１４０が生成される。
【００２６】
栓材溶液１４０が生成されたら、撹拌ポンプ１２３を作動させたまま、吐出管１２６に取り付けられている吐出弁１２７を開く。次に、三方弁１２４を撹拌ポンプ１２３と吐出管１２６とを繋ぐ位置に切り換える。これにより、栓材溶液１４０が吐出管１２６を介して、漏水が生じている管路に供給される。漏水が補修されたら、撹拌ポンプ１２３を停止させ、管路から吐出管１２６を取り外す。
【００２７】
（栓材が漏水箇所を塞ぐ仕組み）
図２は、栓材が漏水箇所を塞ぐ仕組みの説明図である。
【００２８】
まず、図１に示した漏水補修装置１００から管路１５０に供給された栓材溶液１４０は管路１５０に充満する。栓材溶液１４０は、漏水補修装置１００によってかけられている圧力によって漏水箇所１６０の穴１６２から漏れ出す。しかし、栓材溶液１４０には栓材であるパルプ繊維が浮遊しているので、栓材溶液１４０が穴１６２から漏れ出している間に、栓材１１０の蓄積効果によって栓材１１０が穴１６２の周囲に集まって栓体１６４を形成する。栓体１６４は次第に穴１６２を塞ぐようになって、漏水の補修がされる。
【００２９】
また、管路１５０の継手部１５２においても、漏水箇所１６０がある場合には、穴１６２の場合と同様に、栓材１１０が漏水箇所の周囲に集まって栓体１６４を形成する。栓体１６４は次第に漏水箇所１６０を塞ぐようになって、漏水の補修がされる。
【００３０】
なお、漏水補修装置１００が栓材溶液１４０にかける圧力は、栓体１６４が形成されないほどには高くはしない。また、実施形態１の管路１５０は、あまり高圧がかけられるような管路１５０であってはならない。栓体１６４が漏水箇所１６０を塞ぎきれなくなるからである。
【００３１】
以上のように、実施形態１に係る漏水補修装置１００によれば、通常ではあまり圧力がかからない管路１５０の漏水を、栓材溶液１４０を管路１５０に供給するだけで、管路１５０の漏水箇所１６０を栓材１１０で塞ぐことができる。このため、漏水の補修作業に、多くの時間と費用を必要とせず、また、漏水の補修作業時でも、交通に支障を来すことなく、管路１５０の漏水の補修ができる。
【００３２】
［実施形態２］
図２は、実施形態２に係る漏水補修装置の概略構成図である。なお、実施形態１に係る漏水補修装置１００と同一の部材には、同一の符号を付す。
【００３３】
実施形態１に係る漏水補修装置１００は、手動で水１３０を混入容器１２２に供給したり、栓材溶液１４０を管路１５０に供給したりするものであった。一方、実施形態２に係る漏水補修装置は、自動的に水１３０を混入容器１２２に供給したり、栓材溶液１４０を生成したり、栓材溶液１４０を管路１５０に供給したりできるものである。
【００３４】
（漏水補修装置の構成）
漏水補修装置２００は、栓材供給器１８５、混入機、供給器およびこれらの動作を制御する制御部１９０から構成される。
【００３５】
栓材供給器１８５は、一定量の栓材１１０を、混入機を構成する混入容器１２２に供給する。なお、実施形態２で用いる栓材１１０および液体は、実施形態１で用いた栓材１１０および液体と同一である。
【００３６】
混入機は、流入管１２０、自動流入弁１７１、混入容器１２２、撹拌ポンプ１２３、三方弁１２４、ノズル１２５、栓材溶液１４０、低水位センサ１８０、高水位センサ１８２から構成される。
【００３７】
供給器は、吐出管１２６、自動吐出弁１７２から構成される。
【００３８】
制御部１９０は、栓材供給器１８５、混入機、供給器の動作を制御する。すなわち、低水位センサ１８０および高水位センサ１８２からの信号により自動流入弁１７１、自動吐出弁１７２の開閉を制御する。また、撹拌ポンプ１２３と三方弁１２４の動作を制御する。これによって、制御部１９０は、管路１５０を満たすに十分な量の栓材溶液１４０を自動的に生成し管路１５０に供給させる。
【００３９】
（漏水補修装置の動作）
まず、漏水している管路１５０に吐出管１２６を取り付ける。制御部１９０からの指令により自動吐出弁１７２が閉じられ、その後、自動流入弁１７１が開かれると、水１３０が流入管１２０から混入容器１２２に供給される。供給された水１３０は混入容器１２２内に溜まっていき、水面が高水位センサ１８２に達する。高水位センサ１８２がそれを検出すると、制御部１９０は自動流入弁１７１を閉じて、水１３０の供給を停止する。
【００４０】
次に、制御部１９０は撹拌ポンプ１２３を作動させる。撹拌ポンプ１２３が作動すると、混入容器１２２に溜まっている水が撹拌ポンプ１２３に吸入流１３２となって吸い込まれる。三方弁１２４は、制御部１９０により撹拌ポンプ１２３とノズル１２５とを繋ぐ位置に切り換えられる。このため、撹拌ポンプ１２３に吸い込まれた水は、三方弁１２４を介してノズル１２５から吐出される。
【００４１】
ノズル１２５から吐出された水は、混入容器１２２内に溜まっている水を勢いよく撹拌し、混入容器１２２内で撹拌渦１３４を生じさせる。
【００４２】
撹拌渦１３４が生じている状態で、制御部１９０は栓材供給器１８５を動作させ、一定量の栓材１１０を混入容器１２２に投入する。この状態でしばらく撹拌を続けると、栓材１１０が万遍なく水に混合された栓材溶液１４０が生成される。
【００４３】
栓材溶液１４０が生成されたら、制御部１９０は、撹拌ポンプ１２３を作動させたまま、自動吐出弁１７２を開き、三方弁１２４を撹拌ポンプ１２３と吐出管１２６とを繋ぐ位置に切り換える。これにより、栓材溶液１４０が吐出管１２６を介して、漏水が生じている管路１５０に供給される。
【００４４】
管路１５０に栓材溶液１４０が供給されると、混入容器１２２内の栓材溶液１４０の液位が低下する。その液位が低水位１８４に達すると、低水位センサ１８０がそれを検知する。制御部１９０は、撹拌ポンプ１２３を停止させ、三方弁１２４を撹拌ポンプ１２３とノズル１２５とを繋ぐ位置に切り換える。
【００４５】
次に、制御部１９０からの指令により自動吐出弁１７２が閉じられ、その後、自動流入弁１７１が開かれる。これにより、再度、水１３０が流入管１２０から混入容器１２２に供給される。以降、以上と同様に、栓材溶液１４０が生成され、栓材溶液１４０が管路１５０に供給される。栓材溶液１４０の生成と管路１５０への供給は、制御部１９０に停止指令が入力されるまで繰り返される。
【００４６】
なお、管路１５０の漏水を補修できる仕組みは、図２で説明した通りである。
【００４７】
このように、実施形態２に係る漏水補修装置２００は、栓材溶液１４０を自動的に生成して、管路１５０に供給することができるので、実施形態１に係る漏水補修装置１００と比較して、容量の大きな管路１５０の漏水の補修に適する。
【００４８】
以上のように、実施形態２に係る漏水補修装置２００によれば、通常ではあまり圧力がかからない管路１５０の漏水を、栓材溶液１４０を管路１５０に供給するだけで、管路１５０の漏水箇所１６０（図２参照）を栓材１１０で塞ぐことができる。このため、漏水の補修作業に、多くの時間と費用を必要とせず、また、漏水の補修作業時でも、交通に支障を来すことなく、管路１５０の漏水の補修ができる。
【００４９】
また、実施形態１および２に係る漏水補修装置１００、２００は、その動作で説明したように、下記のような漏水補修方法を実施する。
【００５０】
管路１５０の漏水を補修するための栓材１１０を混入機に投入する段階と、前記混入機によって栓材１１０を液体中で撹拌させ栓材溶液１４０を生成する段階と、供給器によって前記混入機から管路１５０に栓材溶液１４０を供給する段階と、を含む。
【００５１】
この漏水補修方法を実施することによって、実施形態１および２に係る漏水補修装置１００、２００と同様に、漏水の補修作業に、多くの時間と費用を必要とせず、また、漏水の補修作業時でも、交通に支障を来すことなく、管路１５０の漏水の補修ができる。
【００５２】
［実施形態３］
図３は、実施形態３に係る漏水補修装置の概略構成図である。なお、実施形態１に係る漏水補修装置１００と同一の部材には、同一の符号を付す。
【００５３】
実施形態３に係る漏水補修装置は、実施形態１および２に係る漏水補修装置１００、２００とは異なり、補修作業終了後に、栓材溶液１４０に混入している栓材１１０を回収できるようにしている。
【００５４】
（漏水補修装置の構成）
漏水補修装置３００は、栓材１１０、混入機、供給器、液体供給器および栓材回収器から構成される。
【００５５】
図示されていないが、栓材１１０は、実施形態１で用いた栓材１１０と同一である。
【００５６】
混入機は、流入管１２０、分岐部３１０、止水弁３３０、カプラー３４０、接続管１５５、流量計３６０、圧力計３６２、三方弁３７０、止水弁３１８、混合部１４５から構成される。
【００５７】
接続管１５５には、流量計３６０、圧力計３６２、三方弁３７０、止水弁３１８が取り付けられ、接続管１５５は、カプラー３４０によって流入管１２０に着脱自在になっている。混合部１４５は、実施形態１または実施形態２の混入機と同様に、その内部に、栓材１１０を撹拌させる撹拌ポンプ１２３、三方弁１２４を有する。また、栓材供給器１８５を有しても良い。
【００５８】
供給器は、吐出弁３７５、圧力計３６４、接続管１５７、逆止弁３５２、カプラー３４２、吐出管１２６、止水弁３３２、分岐３１２から構成される。
【００５９】
接続管１５７には、吐出弁３７５、圧力計３６４、逆止弁３５２が取り付けられ、接続管１５７は、カプラー３４２によって吐出管１２６に着脱自在になっている。
【００６０】
したがって、カプラー３４０から接続管１５５を、カプラー３４２から接続管１５７を同時に取り外すことによって、混合部１４５を流入管１２０および吐出管１２６に接続するための構造体を、流入管１２０および吐出管１２６から取り外すことができる。
【００６１】
すなわち、あらかじめ、流入管１２０に分岐部３１０、止水弁３３０、カプラー３４０を取り付けておき、吐出管１２６にカプラー３４２、止水弁３３２、分岐３２１を取り付けておき、流入管１２０と吐出管１２６との間に制水弁３２０を設けておけば、混合部１４５を流入管１２０および吐出管１２６に接続するための構造体を簡単に着脱できる。
【００６２】
液体供給器は、三方弁３７０、逆止弁３５０、カプラー３４２、吐出管１２６、止水弁３３２、分岐３２１から構成される。管路１５０に流入管１２０からの水を流す（パイパスモード）には、三方弁３７０を吐出管１２６側に切り換えると、逆止弁３５０が開き、逆止弁３５２が閉じて、水が吐出管１２６から管路１５０に供給される。
【００６３】
バイパスモードを設けているのは、漏水の補修後に、管路１５０に充満している栓材溶液１４０を栓材回収器に送るためである。
【００６４】
栓材回収器は、分岐部３１４、止水弁３３４、カプラー３４４、濾過機３８０、カプラー３４６、止水弁３３６、分岐部３１６から構成される。分岐部３１４と３１６との間には制水弁３２４が設けてある。
【００６５】
あらかじめ、管路１５０に分岐部３１４、止水弁３３４、カプラー３４４、制水弁３２４、分岐部３１６、止水弁３３６、カプラー３４６を設けておくことによって、濾過機３８０はカプラー３４４、３４６から着脱自在となる。
【００６６】
（漏水補修装置の動作）
止水弁３３０を開き、三方弁３７０を接続管１５５と混合部１４５とを接続する位置に切り換え、止水弁３１８を開くと、流入管１２０から混合部１４５に水が供給される。
【００６７】
混合部１４５では、実施形態１および２と同様に、栓材溶液１４０が生成される。混合部１４５に供給される水の流量と圧力は、それぞれ流量計３６０および圧力計３６２によって目視できる。
【００６８】
一方、三方弁３７０を接続管１５５と吐出管１２６とを接続する位置に切り換え、止水弁３１８を閉じると、バイパスモードとなって、流入管１２０から吐出管１２６を介して、漏水している管路１５０に水が供給される。なお、逆止弁３５２は、水が接続管１５７側に流れ込むのを防止している。このとき、制水弁３２４を閉じると、供給されている水が漏水箇所１６０から流れ出す。
【００６９】
このとき、流量計３６０の示す値は、漏水箇所１６０における漏水量を示し、圧力計３６２の示す値は、管路１５０内の水圧を示す。
【００７０】
三方弁３７０を接続管１５５と混合部１４５とを接続する位置に切り換えて、バイパスモードを解除し、吐出弁３７５と制水弁３２４とを開くと、混合部１４５から栓材溶液１４０が吐出管１２６を介して漏水している管路１５０に供給される。なお、逆止弁３５０は、栓材溶液１４０が接続管１５５側に流れ込むのを防止している。栓材溶液１４０は漏水箇所１６０の漏水が止まるまで供給される。このとき、圧力計３６４は管路１５０内の圧力を示している。この圧力の変化により、漏水の補修度合が判断できる。管路１５０の漏水を補修できる仕組みは、図２で説明した通りである。
【００７１】
補修作業が終了すると、制水弁３２４を閉じ、止水弁３３０、３３２を閉じ、制水弁３２０を開いて、流入管１２０から水を供給する。漏水の補修がされた管路１５０内の栓材溶液１４０は、供給される水によって、濾過機３８０に送られる。濾過機３８０で濾過された水は、カプラー３４６、止水弁３３６、分岐部３１６を介して管路１５０に戻される。濾過機３８０では栓材溶液１４０から濾過された栓材１１０が蓄積される。蓄積された栓材１１０は混合部１４５に戻されて再利用される。
【００７２】
このように、実施形態３に係る漏水補修装置３００は、栓材溶液１４０を濾過し、栓材１１０を再利用することができるので、補修作業の経済的が優れている。
【００７３】
以上のように、実施形態３に係る漏水補修装置３００によれば、通常ではあまり圧力がかからない管路１５０の漏水を、栓材溶液１４０を管路１５０に供給するだけで、管路１５０の漏水箇所１６０（図２参照）を栓材１１０で塞ぐことができる。このため、漏水の補修作業に、多くの時間と費用を必要とせず、また、漏水の補修作業時でも、交通に支障を来すことなく、管路１５０の漏水の補修ができる。
【００７４】
また、実施形態３に係る漏水補修装置３００は、その動作で説明したように、下記のような漏水補修方法を実施する。
【００７５】
管路１５０の漏水を補修するための栓材１１０を混入機に投入する段階と、前記混入機によって栓材１１０を液体中で撹拌させ栓材溶液１４０を生成する段階と、供給器によって前記混入機から管路１５０に栓材溶液１４０を供給する段階と、管路１５０の栓材溶液１４０を濾過し栓材１１０を栓材回収器によって回収する段階と、を含む。
【００７６】
この漏水補修方法を実施することによって、実施形態１および２に係る漏水補修装置１００、２００と同様に、漏水の補修作業に、多くの時間と費用を必要とせず、また、漏水の補修作業時でも、交通に支障を来すことなく、管路１５０の漏水の補修ができる。さらに、栓材１１０を回収して再利用できるので、経済的に補修作業をすることができる。
【符号の説明】
【００７７】
１００、２００、３００  漏水補修装置、
１１０  栓材、
１２０  流入管、
１２１  流入弁、
１２２  混入容器、
１２３  撹拌ポンプ、
１２４、３７０  三方弁、
１２５  ノズル、
１２６  吐出管、
１２７、３７５  吐出弁、
１３０  水（液体）、
１３２  吸入流、
１３４  撹拌渦、
１４０  栓材溶液、
１４５  混合部、
１５０  管路、
１５２  継手部、
１５５、１５７  接続管、
１６０  漏水箇所、
１６２  穴、
１６４  栓体、
１７１  自動流入弁、
１７２  自動吐出弁、
１８０  低水位センサ、
１８２  高水位センサ、
１８５  栓材供給器、
１９０  制御部、
３１０、３１４、３１６  分岐部、
３１８、３３０、３３２、３３４、３３６  止水弁、
３２０、３２４  制水弁、
３４０、３４２、３４６  カプラー、
３６０  流量計、
３６２、３６４  圧力計、
３５０、３５２  逆止弁、
３８０  濾過機。
【図１】
2018146045.tif 000003
【図２】
2018146045.tif 000004
【図３】
2018146045.tif 000005
【図４】
2018146045.tif 000006